(57)【要約】【課題】  十分な受信感度が得られる受信装置を提供すること。【解決手段】  コアに巻回された第１の周波数に対応する第１の巻き線１０ａと、コアに巻回され、第１の巻き線１０ａと直列接続することにより第１の周波数よりも低い第２の周波数に対応する第２の巻き線１０ｂと、第１の周波数の電波を受信する場合には第１の巻き線１０ａとコンデンサ１ｂとによって並列共振回路を構成し、第２の周波数の電波を受信する場合には直列接続された第１および第２の巻き線１０ａ，１０ｂとコンデンサ１ｂとによって並列共振回路を構成する制御を行う制御手段（スイッチ１ａ）と、第１の周波数および第２の周波数のいずれを受信する場合も第１の巻き線および第２の巻き線の相互に接続されていない側の端子に出現する電圧を出力する出力手段（端子１ｃ，１ｄ）とを有する。【選択図】        図２
2006140766.tif 000002
【特許請求の範囲】
【請求項１】
コアに巻回されたコイルとコンデンサとの並列共振を利用して所定の周波数の電波を選択的に受信する受信装置において、
上記コアに巻回された第１の周波数に対応する第１の巻き線と、
上記コアに巻回され、上記第１の巻き線と直列接続することにより上記第１の周波数よりも低い第２の周波数に対応する第２の巻き線と、
上記第１の周波数の電波を受信する場合には上記第１の巻き線と上記コンデンサとによって並列共振回路を構成し、上記第２の周波数の電波を受信する場合には直列接続された上記第１および第２の巻き線と上記コンデンサとによって並列共振回路を構成する制御を行う制御手段と、
上記第１の周波数および第２の周波数のいずれを受信する場合も上記第１の巻き線および第２の巻き線の相互に接続されていない側の端子にそれぞれ出現する電圧を出力する出力手段と、
を有することを特徴とする受信装置。
【請求項２】
前記コアに近接して配置され、前記コアとの距離を調整することにより、前記第１および第２の巻き線の素子値を調整する調整用コアを有することを特徴とする請求項１記載の受信装置。
【請求項３】
前記調整用コアは、前記第１および第２の巻き線のうち、巻き数が多い方の巻き線側に近接して配置されていることを特徴とする請求項２記載の受信装置。
【発明の詳細な説明】
【技術分野】
【０００１】
本発明は、電波局から送出される時刻情報を含む長波標準電波を受信するための受信装置に関する。
【背景技術】
【０００２】
我が国では、佐賀県に設置された九州局と、福島県に設置された福島局から時刻情報すなわちタイムコード入り長波標準電波が送出されている。いわゆる電波時計では、これらの電波を受信して時刻を更正することにより、正確な時刻表示を行うことができる。
【０００３】
ところで、九州局の長波標準電波の周波数は６０ｋＨｚであり、福島局の長波標準電波の周波数は４０ｋＨｚである。そこで、電波時計の設置場所に拘わらず、正しい時刻を呈示するために、これら２つの長波標準電波の双方を受信することが可能な受信装置が提案されている（特許文献１参照）。
【０００４】
図１２は、特許文献１に示される従来の受信装置を構成するアンテナ部について説明する図である。この図に示すように、従来の受信装置を構成するアンテナ部１００は、インダクタンス素子１０１、スイッチ１０２、および、コンデンサ１０３を主要な構成要素としている。
【０００５】
ここで、インダクタンス素子１０１は、コア１０１ａ、第１の巻き線１０１ｂ、第２の巻き線１０１ｃによって構成されている。第１の巻き線１０１ｂは、６０ｋＨｚ用であり、この第１の巻き線１０１ｂとコンデンサ１０３とによる並列共振回路の共振周波数が６０ｋＨｚとなるように素子値が設定されている。また、第２の巻き線１０１ｃは、第１の巻き線１０１ｂと直列接続された場合において、コンデンサ１０３との並列共振周波数が４０ｋＨｚとなるように設定されている。
【０００６】
スイッチ１０２は、共振周波数を４０ｋＨｚおよび６０ｋＨｚのいずれか一方から選択するための回路である。コンデンサ１０３は、前述したように共振用のコンデンサであり、第１の巻き線１０１ｂとの共振周波数が６０ｋＨｚとなり、また、第１の巻き線１０１ｂおよび第２の巻き線１０１ｃとを直列接続した場合の共振周波数が４０ｋＨｚとなるように素子値が設定されている。
【０００７】
このようなアンテナ部を含む受信装置では、スイッチ１０２を操作することにより、６０ｋＨｚまたは４０ｋＨｚの長波標準電波を選択的に受信することができる。
【０００８】
【特許文献１】特開２００３−６０５２０号公報（要約書、請求項）
【発明の開示】
【発明が解決しようとする課題】
【０００９】
ところで、特許文献１に示すアンテナ部では、図１３に示すように、第１の巻き線１０１ｂおよび第２の巻き線１０１ｃのそれぞれについて、巻き線同士が隣接されて配置されることに起因する浮遊容量（ストレー容量）１１０，１１１が発生し、共振周波数がずれてしまう場合がある。このように共振周波数にずれを生じた場合には、十分な受信感度が得られず、時刻が正確に更正ができないという問題点がある。
【００１０】
本発明は、上記の事情に基づきなされたもので、その目的とするところは、十分な受信感度が得られる受信装置を提供しよう、とするものである。
【課題を解決するための手段】
【００１１】
上述の目的を達成するため、本発明は、コアに巻回されたコイルとコンデンサとの並列共振を利用して所定の周波数の電波を選択的に受信する受信装置において、コアに巻回された第１の周波数に対応する第１の巻き線と、コアに巻回され、第１の巻き線と直列接続することにより第１の周波数よりも低い第２の周波数に対応する第２の巻き線と、第１の周波数の電波を受信する場合には第１の巻き線とコンデンサとによって並列共振回路を構成し、第２の周波数の電波を受信する場合には直列接続された第１および第２の巻き線とコンデンサとによって並列共振回路を構成する制御を行う制御手段と、第１の周波数および第２の周波数のいずれを受信する場合も第１の巻き線および第２の巻き線の相互に接続されていない側の端子にそれぞれ出現する電圧を出力する出力手段と、を有している。
【００１２】
十分な受信感度が得られる受信装置を提供することが可能になる。
【００１３】
また、他の発明は、上述の発明に加えて、コアに近接して配置され、コアとの距離を調整することにより、第１および第２の巻き線の素子値を調整する調整用コアを有している。このため、素子値を正確に調整することが可能になるので、受信感度を高めることが可能になる。
【００１４】
また、他の発明は、上述の発明に加えて、調整用コアは、第１および第２の巻き線のうち、巻き数が多い方の巻き線側に近接して配置されている。このため、周波数の高い電波に対する受信感度に対しては、昇圧によって感度を高めるとともに、周波数の低い電波に対しては素子値を正確に調整することにより受信感度を高めることが可能になる。
【発明の効果】
【００１５】
本発明によれば、十分な受信感度が得られる受信装置を提供することができる。
【発明を実施するための最良の形態】
【００１６】
以下、本発明の一実施の形態について、図面を参照して説明する。
【００１７】
図１は、本発明の実施の形態に係る受信装置の構成例を示す図である。この図に示すように受信装置は、アンテナ部１、受信回路２、制御回路３、操作部４、および、表示装置５を主な構成要素としている。
【００１８】
ここで、アンテナ部１は、九州局から送信された周波数６０ｋＨｚ（第１の周波数に対応）の長波標準電波および福島局から送信された周波数４０ｋＨｚ（第２の周波数に対応）の長波標準電波のいずれか一方を選択的に受信する。なお、アンテナ部１の詳細な構成例については後述する。
【００１９】
受信回路２は、アンテナ部１から供給された受信信号を抽出し、制御回路３に出力する。
【００２０】
制御回路（制御手段の一部）３は、例えば、ＣＰＵ（Central Processing Unit）、ＲＯＭ（Read Only Memory）、ＲＡＭ（Random Access Memory）等によって構成され、受信回路２によって抽出された時間信号に含まれている時間情報に応じて、表示装置５に更正された正確な時刻情報を表示する。また、制御回路３は、ＲＯＭに格納されているプログラムにしたがってアンテナ部１および受信回路２を制御する。
【００２１】
操作部４は、例えば、複数の操作ボタンによって構成され、ユーザの操作に応じた情報を生成して制御回路３に供給する。
【００２２】
表示装置５は、例えば、ＬＣＤ（Liquid Crystal Display）等によって構成されており、制御回路３から供給された情報（時刻情報等）を表示する。
【００２３】
図２は、アンテナ部１の構成例を示す回路図である。この図に示すように、アンテナ部１は、インダクタンス素子１０、スイッチ１ａ、および、コンデンサ１ｂを主要な構成要素としている。
【００２４】
ここで、インダクタンス素子１０は、６０ｋＨｚに対応する巻き線１０ａ（第１の巻き線に対応）と、巻き線１０ａと直列に接続されることにより４０ｋＨｚに対応する巻き線１０ｂ（第２の巻き線に対応）とがコア６０に巻回されて構成されている。ネジコア４０（調整用コアに対応）は、コア６０との間隙を変化させることにより、素子値を調整する。なお、インダクタンス素子１０の詳細な構成については、後述する。
【００２５】
スイッチ１ａ（制御手段の一部）は、６０ｋＨｚの長波標準電波を受信する場合には、図の上側の端子に接続され、４０ｋＨｚの長波標準電波を受信する場合には、図の下側の端子に接続される。なお、スイッチ１ａは、図１に示す制御回路３によって接続方向が制御される。
【００２６】
コンデンサ１ｂは、並列共振用のコンデンサであり、スイッチ１ａが上側の端子に接続された場合には、巻き線１０ａと並列接続されて６０ｋＨｚで共振し、下側の端子に接続された場合には、直列接続された巻き線１０ａおよび巻き線１０ｂと並列接続されて４０ｋＨｚで共振する。なお、端子１ｃ（出力手段に対応）および端子１ｄ（出力手段に対応）は、受信回路２に接続するための端子である。
【００２７】
図３は、図２に示すインダクタンス素子１０の構成例を示す分解斜視図である。この図に示すように、インダクタンス素子１０は、ケース２０、蓋３０、ネジコア４０、コイルボビン５０、および、コア６０を主要な構成要素としている。
【００２８】
ここで、ケース２０は、例えば、プラスティック、セラミックス、または、金属等によって構成されている。ケース２０の左側（図の左側）の面には、ネジコア４０が挿入される孔２２が形成されている。なお、孔２２の壁面にはネジコア４０の雄ねじと嵌合する雌ねじが形成されている。ケース２０の右側（図の右側）の面には、蓋３０が嵌合される孔２１が形成されている。また、この図には示されていないが、ケース２０の下側（図の下側）の面には、コア６０が嵌合されて巻き線が巻回されたコイルボビン５０が挿入される開口部２５が形成されている。さらに、ケース２０の左下部には、外部の回路と内部の巻き線とを接続するための端子２３および端子２４（不図示）が設けられている。
【００２９】
蓋３０は、例えば、プラスティックによって構成されており、ケース２０に嵌合された場合に、コア６０を固定する機能を有している。また、蓋３０の下部には外部の回路と内部の巻き線とを接続するための端子３４および端子３５（不図示）が設けられている。蓋３０の左側（図の左側）の面には、凹部３３が設けられており、当該凹部３３にコア６０の端部６２が挿入されて固定される。蓋３０の挿入部３１は、ケース２０の内部に挿入されて固定される。また、露出部３２は、ケース２０の外部に露出した状態とされる。
【００３０】
ネジコア４０は、コア６０と同様に、フェライト素材等によって構成されており、インダクタンス値を調整する場合に用いられる。ここで、ネジコア４０は、素子値を調整する際に、プラスドライバを挿入するための凹部４１が左側（図の左側）の面に形成されている。また、ネジコア４０の側面４２には、孔２２の壁面に形成された雌ねじに嵌合する雄ねじが形成されている。
【００３１】
コイルボビン５０は、「コ」の字形状を有する４枚の鍔５３〜５６およびこれらの鍔５３〜５６を連結するための連結部５１，５２によって構成されている。鍔５３〜５６は、それぞれ切り欠き部５３ａ〜５６ａを有しており、当該切り欠き部５３ａ〜５６ａにコア６０の軸部６１が挿入される。連結部５１，５２は、鍔５３〜５６を相互に連結するとともに、第１の巻き線１０ａおよび第２の巻き線１０ｂがコア６０に直接接触することを防止する。すなわち、連結部５１，５２は、コア６０の軸部６１よりも上下方向（図３の上下方向）の幅が広くなっているので、第１の巻き線１０ａおよび第２の巻き線１０ｂが連結部５１，５２の上に巻回された場合、コア６０にこれらの巻き線が接触することを防止する。また、コイルボビン５０および鍔５３〜５６は、４枚の鍔が連結され、「コ」の字形状を有する一体の部品（コイルボビン５０）として構成されており、コア６０に横方向から嵌め込むことができるので、組み立てを簡略化することが可能である。
【００３２】
コア６０は、金属酸化物を焼成して形成されたフェライト素材等によって構成されている。コア６０は、コイルボビン５０が挿入される軸部６１および左右の端部６２，６３により形成されている。
【００３３】
図４は、図３に示す構成部品を組み立てた場合のインダクタンス素子１０の外観を示す斜視図である。この図に示すように、図３に示す部品を組み立てると、ケース２０の内部に蓋３０の挿入部３１が挿入され、露出部３２が露出した状態となる。また、孔２２にはネジコア４０が挿入された状態となる。
【００３４】
図５は、図４に示す、組み立てた状態のインダクタンス素子１０をＡ−Ａ’で切断した場合の断面図である。この図に示すように、コア６０は、ケース２０の内部に固定されている。鍔５４と鍔５５の間および鍔５５と鍔５６の間には６０ｋＨｚに対応する巻き線１０ａが２分割されて巻回されている。また、鍔５３と鍔５４の間には巻き線１０ａと直列接続された場合に、４０ｋＨｚに対応する巻き線１０ｂが巻回されている。コア６０の左側にはネジコア４０が配置されており、凹部４１にドライバ等を挿入して所望の方向に回転させることにより、端部６３とネジコア４０との間隔を調整し、インダクタンス値を調整することができる。ケース２０の下面には開口部２５があり、組み立ての際にはこの部分からコア６０を挿入する。
【００３５】
図６は、本発明の実施の形態に係るインダクタンス素子１０の巻き線の巻回方法を説明する図である。この図に示すように、本発明の実施の形態に係るインダクタンス素子１０は、６０ｋＨｚに対応する巻き線１０ａが２カ所に分割されて巻回されている。すなわち、巻き線１０ａは、鍔５６と鍔５５で仕切られた領域に２２８ターン巻回され、鍔５５と鍔５４で仕切られた領域に２２８ターン巻回されてひとつの巻き線を構成している。なお、巻き線１０ａを２分割して巻回するのは、ストレー容量を減少させるためである。また、鍔５３と鍔５４で仕切られた領域には、巻き線１０ａと直列接続されて４０ｋＨｚに対応する巻き線１０ｂが２８０ターン巻回されている。
【００３６】
図７は、ネジコア４０の位置と、インダクタンス値の変化率との関係を示す図である。この図において、「○」で示す曲線は、図８に示すように、ネジコア４０を巻き線１０ｂ側に配置し、その位置を移動させた場合の巻き線１０ａのインダクタンス値の変化率を示している。また、「×」で示す曲線は、図８に示すように、ネジコア４０を巻き線１０ａ側に配置し、その位置を移動させた場合の巻き線１０ａのインダクタンス値の変化率を示している。また、「△」で示す曲線は、図８に示すように、ネジコア４０を巻き線１０ａ側（または、巻き線１０ｂ側）に配置し、その位置を移動させた場合の巻き線１０ａと巻き線１０ｂを直列接続した場合のインダクタンス値の変化率を示している。この図に示すように、巻き線１０ａの素子値を調整する場合には、当該巻き線１０ａに近い方にネジコア４０を配置した方が変化率は大きくなる。そこで、本実施の形態に係るインダクタンス素子１０では、巻数が多い巻き線１０ａの近くにネジコア４０を配置することにより、素子値を容易に調整できるようにしている。
【００３７】
つぎに、以上の実施の形態のインダクタンス素子１０の組み立て方法について説明する。
【００３８】
まず、図３に示すコイルボビン５０の切り欠き部５３ａ〜５６ａにコア６０の軸部６１を挿入する。つぎに、鍔５３と鍔５４で囲まれた領域に、巻き線１０ｂを３層に巻回する。つづいて、図５に示すように、鍔５４と鍔５５で囲まれた領域に、巻き線１０ａの一部を３層に巻回し、鍔５５と鍔５６で囲まれた領域に、巻き線１０ａの残りの一部を３層に巻回する。
【００３９】
巻き線の巻回が終了すると、巻き線が巻回されたコイルボビン５０およびコア６０を、ケース２０の開口部２５からケース２０の内部に挿入して固定する。そして、蓋３０の凹部３３が端部６２に嵌合するようにケース２０の孔２１に挿入して固定する。つづいて、端子２３，２４および端子３４，３５に巻き線１０ａ，１０ｂの必要な部分をハンダ等によって接続する。
【００４０】
つぎに、ネジコア４０を孔２２に対して時計方向に回転させながら挿入する。そして、スイッチ１ａおよびコンデンサ１ｂを接続し、スイッチ１ａを図２の下側（４０ｋＨｚ側）に接続した状態で、４０ｋＨｚに共振するように、ネジコア４０の位置を微調整する。なお、後述するように、６０ｋＨｚに対する受信感度は４０ｋＨｚに比較して高く、また、４０ｋＨｚをメインで使用する場合が多いので、４０ｋＨｚに正確に共振するように微調整を行う。そして、調整が終了すると、蓋３０およびネジコア４０を接着剤等によって固定し、製造プロセスを終了する。
【００４１】
つぎに、図１に示す受信装置の動作について説明する。
【００４２】
以上のようにして製造されたインダクタンス素子１０を具備する受信装置の動作が開始されると、まず、制御回路３は、アンテナ部１のスイッチ１ａを、図２の下側（４０ｋＨｚ側）の接点に接続する。その結果、図９（Ａ）に示すように、直列接続された巻き線１０ａおよび巻き線１０ｂと、コンデンサ１ｂとの間で、４０ｋＨｚを共振周波数とする並列共振回路が形成される。この結果、４０ｋＨｚの長波標準電波が捕捉され、受信回路２に供給される。
【００４３】
ここで、前述のように、製造プロセスでは、４０ｋＨｚに正確に共振するように、ネジコア４０が調整されているので、図９（Ａ）に示す共振回路では、４０ｋＨｚで精度良く共振することになる。したがって、受信装置が配置された環境における４０ｋＨｚの長波標準電波の電界強度が十分である場合には、当該電波を感度よく捕捉することができる。
【００４４】
受信回路２では、４０ｋＨｚの長波標準電波が中間周波数に変換された後、時間信号が抽出される。このようにして抽出された時間信号は、制御回路３に供給される。制御回路３では、受信された信号の大きさから受信状態を判定し、受信状態が良好である場合には、受信回路２から供給された時間信号から時間情報を抽出し、当該時間情報に基づいて内部のクロックの時刻を更正し、表示装置５に現在時刻を表示する。
【００４５】
一方、４０ｋＨｚの受信状態が悪いと判断した場合には、アンテナ部１のスイッチ１ａの接続を、図２の上側（６０ｋＨｚ側）に変更する。その結果、図９（Ｂ）に示すように、巻き線１０ａと、コンデンサ１ｂとの間で、６０ｋＨｚを共振周波数とする並列共振回路が形成され、６０ｋＨｚの長波標準電波が捕捉される。このとき、アンテナ部１の出力としては、共振回路を構成するコンデンサ１ｂの両端ではなく、巻き線１０ａおよび巻き線１０ｂの相互に接続されていない側の端子にそれぞれ出現する電圧が出力される。ここで、巻き線１０ａと巻き線１０ｂとは同一のコア６０に対して同じ方向に巻回されていることから、巻き線１０ａに印加された電圧と同じ方向の電圧が巻き線１０ｂに励起されることになる。
【００４６】
ここで、巻き線１０ｂに励起される電圧は、巻き線１０ａおよび巻き線１０ｂの巻き数比と、結合係数とに応じて決定される。本実施の形態では、巻き数比は、図６に示すように、５５６：２８０であり、結合係数は実測によると、０．５程度である。したがって、巻き線１０ｂには巻き線１０ａに印加される電圧の２５％程度の電圧が出力されることになる。このため、図９（Ｂ）に示すように、巻き線１０ａおよび巻き線１０ｂの相互に接続されていない側の端子にそれぞれ出現する電圧を出力として取り出すと、巻き線１０ａに出現する電圧の１．２５倍程度の電圧が得られることになる。その結果、本実施の形態のアンテナ部１では、図１２に示す従来のアンテナ部に比較して、受信感度を高めることが可能になる。
【００４７】
図１０は、巻き線１０ａの出力を直接取り出した場合（昇圧なしの場合）の６０ｋＨｚの長波標準電波に対する受信感度［Ｖ／μＴ］と、巻き線１０ａおよび巻き線１０ｂの相互に接続されていない側の端子にそれぞれ出現する電圧を出力として取り出した場合（昇圧ありの場合）の６０ｋＨｚの長波標準電波に対する受信感度の実測値を示す図である。この図に示すように、巻き線１０ａおよび巻き線１０ｂの相互に接続されていない側の端子に出現する電圧を出力として取り出した場合の受信感度は約４．５［Ｖ／μＴ］であり、巻き線１０ａに出現する電圧をそのまま取り出した場合の受信感度は約３．５［Ｖ／μＴ］程度である。したがって、前述のように、昇圧した場合には昇圧しない場合に比較して約３０％受信感度を上昇させることが可能になる。
【００４８】
このように、昇圧によって受信感度を上昇させると、共振周波数が６０ｋＨｚから多少ずれを生じている場合であっても、十分な受信信号を得ることが可能になる。その結果、製造プロセスにおいて、ネジコア４０を用いて４０ｋＨｚに共振するように素子値を設定した場合であっても６０ｋＨｚにおいて十分な受信信号を得ることができる。
【００４９】
このようにしてアンテナ部１によって捕捉された受信信号は、受信回路２に供給される。受信回路２では、６０ｋＨｚの長波標準電波が中間周波数に変換された後、時間信号が抽出される。
【００５０】
制御回路３は、前述の場合と同様に、受信回路２から供給された時間信号から時間情報を抽出し、当該時間情報に基づいて内部のクロックの時刻を更正し、表示装置５に現在時刻を表示する。なお、４０ｋＨｚと６０ｋＨｚの双方の電波の受信状況が良好でない場合には、制御回路３は、例えば、表示装置５に対してエラー表示を行う。
【００５１】
以上に説明したように、本発明の実施の形態に係る受信装置によれば、４０ｋＨｚに共振するように素子値を設定した場合であっても６０ｋＨｚに対しても昇圧によって十分な受信感度を得ることが可能になる。
【００５２】
なお、以上の実施の形態は、一例であって、これ以外にも種々の変形実施態様が存在する。例えば、図１１に示すように、巻き線１０ｃを新たに設け、これによる昇圧効果を付加するようにしてもよい。すなわち、図１１の例では、４０ｋＨｚの長波標準電波を受信する場合には、直列接続された巻き線１０ａおよび巻き線１０ｂとコンデンサ１ｂとの並列共振によって得られた受信信号を巻き線１０ｃによって昇圧して出力する。また、６０ｋＨｚの長波標準電波を受信する場合には、巻き線１０ａとコンデンサ１ｂとの並列共振によって得られた受信信号をコイル１０ｂおよび巻き線１０ｃの双方によって昇圧して出力する。このような構成によれば、受信感度をさらに向上させることが可能になる。なお、図１１の例では、巻き線１０ｃをネジコア４０側に巻回するようにしたが、ネジコア４０の反対側に巻回したり、巻き線１０ａと巻き線１０ｂの間に巻回したりすることも可能である。
【００５３】
また、以上の実施の形態では、巻き線１０ａおよび巻き線１０ｂを３層巻きとしたが、これ以外の層数（２層または４層以上）としてもよい。
【００５４】
また、以上の実施の形態では、鍔５３〜５６は、連結部５１，５２によって相互に連結される構成としたが、それぞれの鍔５３〜５６の一部または全部を単独の構成とし、コア６０にそれぞれを挿入して固定する構成としてもよい。また、場合によっては、鍔５３〜５６を設けない構成とすることも可能である。
【００５５】
また、コア６０としては、矩形形状を有するものを例に挙げて説明したが、円柱形状を有するものを使用することも可能である。また、端部６２，６３を有しないコアを用いることも可能である。
【００５６】
また、巻き線１０ａの側にネジコア４０を設けるようにしたが、巻き線１０ｂの側に設けることも可能である。また、ネジコアを巻き線１０ａと巻き線１０ｂのそれぞれに１つずつ設けるようにすることも可能である。その場合には、２つのネジコアを調整することにより、１つのネジコアの場合に比べて微調整を行うことが可能になる。また、それぞれのネジコアを独立に調整することで、巻き線１０ａおよび巻き線１０ｂを独立に調整することも可能となる。また、ネジコア４０の凹部４１は、プラス形状としたがマイナス形状とすることも可能である。
【００５７】
また、以上の実施の形態では、６０ｋＨｚと４０ｋＨｚに対応する巻き線を設ける場合を例に挙げて説明したが、これ以外の周波数に対応する巻き線を設けることも可能であることはいうまでもない。
【産業上の利用可能性】
【００５８】
本発明の受信装置は、長波標準電波を受信する電波時計に利用することができる。
【図面の簡単な説明】
【００５９】
【図１】本発明の実施の形態に係る受信装置の構成例を示すブロック図である。
【図２】図１に示すアンテナ部の詳細な構成例を示す図である。
【図３】図２に示すインダクタンス素子の詳細な構成例を示す分解斜視図である。
【図４】図３に示すインダクタンス素子を組み立てた場合の外観を示す斜視図である。
【図５】図４に示すインダクタンス素子をＡ−Ａ’で切断した場合の断面を示す断面図である。
【図６】インダクタンス素子の巻き線の巻数を示す図である。
【図７】ネジコアの位置と素子値Ｌの変化率との関係を示す図である。
【図８】図７に示す図におけるネジコアの位置を説明するための図である。
【図９】図２に示すアンテナ部の等価回路を示す図であり、（Ａ）は４０ｋＨｚの長波標準電波を受信する場合の等価回路であり、（Ｂ）は６０ｋＨｚの長波標準電波を受信する場合の等価回路である。
【図１０】図２に示すアンテナ部の６０ｋＨｚの長波標準電波に対する受信感度を示す図である。
【図１１】アンテナ部の他の構成例を示す図である。
【図１２】従来の受信装置を構成するアンテナの構成例を示す図である。
【図１３】図１２に示すアンテナに生ずるストレー容量を説明する図である。
【符号の説明】
【００６０】
１ａ  スイッチ（制御手段の一部）
１ｃ，１ｄ  端子（出力手段）
３  制御回路（制御手段の一部）
１０  インダクタンス素子
１０ａ  巻き線（第１の巻き線）
１０ｂ  巻き線（第２の巻き線）
４０  ネジコア（調整用コア）
６０  コア
【図１】
2006140766.tif 000003
【図２】
2006140766.tif 000004
【図３】
2006140766.tif 000005
【図４】
2006140766.tif 000006
【図５】
2006140766.tif 000007
【図６】
2006140766.tif 000008
【図７】
2006140766.tif 000009
【図８】
2006140766.tif 000010
【図９】
2006140766.tif 000011
【図１０】
2006140766.tif 000012
【図１１】
2006140766.tif 000013
【図１２】
2006140766.tif 000014
【図１３】
2006140766.tif 000015